(57)【要約】      （修正有）【課題】ブラシを始動し、このブラシに対してフィルターを横移動させることでフィルターの清掃を自動的に行うものであり、常にフィルターの基点出しをもって清掃を自動的に、しかも、安全かつ確実に行うことができる。【解決手段】フィルター９を凝縮器３に対して凝縮器３の吸入側を覆う凝縮器３の前位置から、凝縮器３の前を外れる位置まで横移動可能に設け、回転ブラシ１３をそのブラシ１３ａが該フィルター９に当接するように凝縮器３脇に立設し、フィルター９が凝縮器３の前位置にあるときに、該フィルター９の端部が接する箇所に基点検知手段１６を設け、この基点検知手段１６でのフィルター検知を基点出しとして、フィルター９の横移動の開始および停止を行う。【選択図】図１
2012106152.tif 000002
【特許請求の範囲】
【請求項１】
フィルターを凝縮器に対して凝縮器の吸入側を覆う凝縮器の前位置から、凝縮器前を外れる位置まで横移動可能に設け、ブラシを該フィルターに当接するようにフィルターの横移動範囲に設け、フィルターが凝縮器の前位置にあるときに、該フィルターの端部が接する箇所に基点検知手段を設け、この基点検知手段でのフィルター検知を基点出しとして、フィルターの横移動の開始もしくは停止を行うことを特徴とする凝縮器フィルターの清掃装置。
【請求項２】
フィルターの横移動方向側にフィルターを動作させる為のモータとギアを収納したギアボックスを設けることを特徴とする請求項１記載の凝縮器フィルターの清掃装置。
【請求項３】
フィルターの横移動方向に前記ブラシを駆動させる為の装置を設けることを特徴とする請求項１または請求項２記載の凝縮器フィルターの清掃装置。
【請求項４】
清掃動作中、フィルターが規定の時間に達しても基点検知手段に反応がない場合は、異常と判断し、清掃動作を終了させることを特徴とする請求項１から請求項３のいずれか記載の凝縮器フィルターの清掃装置。
【請求項５】
不具合が解決した後、特定スイッチを押すと、異常を解除して基点出しを行うことを特徴とする請求項４記載の凝縮器フィルターの清掃装置。
【請求項６】
清掃装置への電力供給時、もしくは清掃動作を行う直前に、基点検知手段で基点出しを行うことを特徴とする請求項１から請求項５のいずれか記載の凝縮器フィルターの清掃装置。
【請求項７】
前記基点検知手段でのフィルター検知を基点出しとして、フィルターを横移動させ清掃動作を開始した際に、基点検知手段が規定の時間以上フィルターを検知し続けた場合は、異常と判断し、清掃動作を終了させることを特徴とする請求項１記載の凝縮器フィルターの清掃装置。
【請求項８】
凝縮器フィルターの清掃装置に、制御部と表示手段を配設し、前記基点検知手段が異常を検出した際に、前記表示部に異常を表示することを特徴とする請求項１記載から請求項７のいずれか記載の凝縮器フィルターの清掃装置。
【請求項９】
前記基点検知手段は、有接点方式のスイッチを用いることを特徴とする請求項１から請求項８のいずれか記載の凝縮器フィルターの清掃装置。
【請求項１０】
前記基点検知手段は無接点方式のスイッチを用いることを特徴とする請求項１から請求項８のいずれか記載の凝縮器フィルターの清掃装置。
【請求項１１】
前記ブラシは、ほぼ均一な断面を有する筒状のものを用い、筒断面の中心を回転軸とし作動するブラシであることを特徴とする請求項１から請求項９のいずれか記載の凝縮器フィルターの清掃装置。
【請求項１２】
前記ブラシには刷毛状のものを用い、ブラシの毛先部分が断続的にフィルターに接触することを特徴とする請求項１から請求項１０のいずれか記載の凝縮器フィルターの清掃装置。
【請求項１３】
前記ブラシは振動運動を行うことを特徴とする請求項１から請求項１２のいずれか記載の凝縮器フィルターの清掃装置。
【発明の詳細な説明】
【技術分野】
【０００１】
本発明は、冷凍機内蔵型ショーケースに関し、詳しくは、ショーケースの架台内に内蔵した冷凍機ユニットにおける凝縮器用フィルターへの埃の付着を除去するに凝縮器フィルターの清掃装置に関するものである。
【背景技術】
【０００２】
従来から、食品売場に設置される冷蔵、冷凍ショーケースとして、ショーケース下部の架台内部に、凝縮器及び凝縮器用送風機を構成要素として含む冷凍機ユニットを内蔵し、前記架台前面のキックプレートに、外気取入用の通気孔を有する通気孔カバーを開閉可能に取り付けた冷凍機内蔵型ショーケースが知られている。
【０００３】
まず、下記特許文献にもあるように、冷凍機内蔵型ショーケースの一例を、図７に示すと、ショーケース２１は、冷凍機の構成要素である圧縮機（図示せず）、凝縮器２２、送風機（図示せず）などを、ケース本体２３の下部の機械室２４に内蔵する。
【特許文献１】特開平１０−３１１６５７号公報
【０００４】
前記機械室２４の前面には、前記凝縮器２２で熱交換される外気を取り入れるための通気孔２５，２５をあけたキックプレート２６を取り付けている。
【０００５】
そして、前記凝縮器２２と外気取入用の通気孔２５との間には、凝縮器用のフィルター２７を配設する。図中、２８はドレンタンク、２９はドレン窓カバー、３０はコントロールパネル、３１はコントロールパネル操作窓カバーである。
【０００６】
なお、図７は、前記ケース本体２３は上方を開口させた箱形の形状をなし、箱部を商品陳列部３２として、冷凍食品或いは冷蔵食品を収納し、吹出口３３より吸込口（図示せず）に冷気のエアカーテンを形成して、商品陳列部３２の食品等を保冷する平形オープンショーケースの例である。
【０００７】
また、このようなショーケースにおいては、通気孔カバーに凝縮器用フィルターを着脱可能に保持することにより、凝縮器用フィルターのメンテナンスを容易に行えるようにしたものや（例えば、下記特許文献２参照）、また、凝縮器用フィルターの状態を検出して警報を発生させるようにしたものも提案されている（例えば、下記特許文献３参照）。
【特許文献２】特開平２００４−２４５５６９号公報
【特許文献３】特開平２００３−１３０５３６号公報
【発明の開示】
【発明が解決しようとする課題】
【０００８】
しかし、特許文献１に記載の冷凍機内蔵型ショーケース２１では、凝縮器２２の前面側に対して直接フィルター２７を取り付ける構成であるため、フィルター２７のメンテナンス作業に伴うフィルター自体の取付け、取外し作業には労力を要することとなっていた。
【０００９】
即ち、一般に凝縮器２２前面にフィルター２７を取り付ける場合には、止め金具等を用いてフィルター２７を固定することとなるためフィルター２７のメンテナンス作業時に止め金具の取外し作業が必要となることや、フィルター２７の取付けの際に正確な位置決めが必要となる等、作業が煩雑なものとなっていた。
【００１０】
また、フィルター２７の清掃を定期的に行わずに運転を続けると、ホコリや塵がフィルター２７に堆積し通風効率が悪くなり、その結果凝縮器２２の冷却効率が下がり、ショーケース庫内の温度が維持できずに商品を傷めることになる。
【００１１】
更に、機械室雰囲気の温度が上昇し、圧縮機５の保護装置が作動し運転がストップするなどの問題もあった。
【００１２】
本発明は前記従来例の不都合を解消し、フィルターの清掃を自動的に、しかも、安全かつ確実に行うことができる凝縮器フィルターの清掃装置を提供することにある。
【課題を解決するための手段】
【００１３】
前記目的を達成するため、請求項１記載の発明は、フィルターを凝縮器に対して凝縮器の吸入側を覆う凝縮器の前位置から、凝縮器前を外れる位置まで横移動可能に設け、ブラシが該フィルターに当接するようにフィルターの横移動範囲に設け、フィルターが凝縮器の前位置にあるときに、該フィルターの端部が接する箇所に基点検知手段を設け、この基点検知手段でのフィルター検知を基点出しとして、フィルターの横移動の開始もしくは停止を行うことを特徴とした凝縮器フィルターの清掃装置ことを要旨とするものである。
【００１４】
請求項１記載の発明によれば、フィルターの清掃を行うには、ブラシを始動し、このブラシに対してフィルターを横移動させれば、ブラシが該フィルターに当接してフィルターに付着した塵が払拭される。
【００１５】
請求項２記載の発明は、フィルターの横移動方向側にフィルターを動作させる為のモータとギアを収納したギアボックスを設けることを要旨とするものである。
【００１６】
請求項２記載の発明によれば、モータを駆動させることでギアが回転し、フィルターを横移動させることが出来る。
【００１７】
請求項３記載の発明は、フィルターの横移動方向に前記ブラシを駆動させる為の装置を設けること要旨とするものである。
【００１８】
請求項３記載の発明によれば、前記ブラシを駆動させることが出来る。
【００１９】
請求項４記載の発明は、清掃動作中、フィルターが規定の時間に達しても基点検知手段に反応がない場合は、異常と判断し、清掃動作を修了させることを要旨とするものである。
【００２０】
請求項４記載の発明によれば、清掃動作中、フィルターが規定の時間に達しても基点検知手段に反応がない場合、フィルターが正常に元の基点位置に戻らない異常な状態と判断でき、清掃動作を修了させ、清掃装置の安全を保つことが出来る。
【００２１】
請求項５記載の本発明は、不具合が解決した後、特定スイッチを押すと、異常を解除して基点出しを行うことを要旨とするものである。
【００２２】
請求項５記載の発明によれば、不具合が解決後の再始動として、特定スイッチを押すことで、基点出しからの始めに簡単に戻すことができる。
【００２３】
請求項６記載の発明は、清掃装置への電力供給時、もしくは清掃動作を行う直前に、基点検知手段で基点出しを行い、フィルターを動作前に適正な位置に設置することを要旨とするものである。
【００２４】
請求項６記載の発明によれば、装置電源導入時、もしくは清掃動作を行う直前に、基点検知手段で基点出しを行い、フィルターを動作前に適正な位置に設置すること
【００２５】
請求項７記載の発明は、前記基点検知手段でのフィルター検知を基点出しとして、フィルターを横移動させ清掃動作を開始した際に、基点検知手段が規定の時間以上フィルターを検知し続けた場合は、異常と判断し、清掃動作を終了させることを要旨とするものである。
【００２６】
請求項７記載の発明によれば、基点検知手段のフィルターの検出がフィルターの作動の異常としても検出できるので、本清掃装置の安全を維持することができるものである。
【００２７】
請求項８の発明は、不具合が発生した場合、コントローラ表示部にエラーであることを表示させることを要旨とするものである。
【００２８】
請求項８記載の発明によれば、不具合が発生した際に直ちに店員などに知らせることができる。
【００２９】
請求項９記載の発明は、基点検知手段には、有接点方式を用いることを要旨とするものである。
【００３０】
請求項９記載の発明によれば、簡単な方式によりフィルターの検出を実現できるものである。
【００３１】
請求項１０記載の発明は、前記基点検知手段に無接点方式のスイッチを用いることを特徴とすることを要旨とするものである。
【００３２】
請求項１０記載の発明によれば、基点検知手段の設置場所をフィルター周辺の広範囲に設置することを可能とする。
【００３３】
請求項１１記載の発明は、前記ブラシには筒形の形状のものを用い、筒の平面の中心軸を回転軸とし作動することを要旨とするものである。
【００３４】
請求項１１記載の発明によれば、ブラシの作動中に、フィルター清掃を中断することなく効率よく実施することができる。
【００３５】
請求項１２記載の発明は、ブラシには刷毛状のものを用い、ブラシの毛先部分が断続的にフィルターに接触することを要旨とするものである。
【００３６】
請求項１２記載の発明によれば、簡素な構造のブラシを用いてフィルターを清掃することができるものである。
【００３７】
請求項１３記載の発明は、前記ブラシは振動運動を行うことを要旨とするものである。
【００３８】
請求項１３記載の発明によれば、前記ブラシに複雑な動きを与えることにより、フィルターに絡みついた埃や付着物を確実に取り除くことができる。
【発明の効果】
【００３９】
以上述べたように本発明の凝縮器フィルターの清掃装置は、ブラシを始動し、このブラシに対してフィルターを横移動させることでフィルターの清掃を自動的に行うものであり、常にフィルターの基点出しをもって清掃を自動的に、しかも、安全かつ確実に行うことができるものである。
【発明を実施するための最良の形態】
【００４０】
以下、図面について本発明の実施形態を詳細に説明する。図１は本発明の凝縮器フィルターの清掃装置を備えた冷凍機内蔵型ショーケースの機械室部分の平面図、図２は同上正面図、図３は同上要部の側面図で、図中３はショーケース１の機械室２に設置される凝縮器、４は凝縮器ファン、５は圧縮機、６は電装ボックス、７はケース側電装ボックス、８は点検蓋である。
【００４１】
本発明は、凝縮器３の吸入側にフレーム９ａを、鉄などの金属製線材で形成させ、ネット９ｂのたわみ防止の為ネットの裏側，中心部にリブ状の補強9ｃを挿入する。さらにネット９ｂを貼設したフィルター９を設置するが、このフィルター９にはラックギア１０を添設し、一方、凝縮器３側にはラック歯車１１を回転駆動するモータ１２を設けた。該ラック歯車１１はラックギア１０に歯合してラックギア１０を横移動させるものである。
【００４２】
このようにして、フィルター９は凝縮器３に対して凝縮器３の吸入側を覆う凝縮器３の前位置から、凝縮器３の前を外れる位置まで横移動可能に設けられる。図１の矢印は該フィルター９の可動範囲αを示すもので、フィルター９の横幅の約２倍以上（約２倍強）である。
【００４３】
フィルター９の横移動をスムーズにするために、機械室２の床の桁１７上にレール１８を設け、このレール１８上を滑動させる。
【００４４】
レール１８は、図５に示すよう上向きのコの字状に溝部１８ａを形成させて、この溝部１８ａにフィルター９の下端部を納め、フィルター９が滑動する際のガイドとしての機能も持たせている。
また、フィルター９とレール１８の溝部１８ａの間には、溝部１８ａと同様のコの字型をなすモール３４を設置し、レール１８への埃の侵入を防ぐため傘部３４ａを設けた。
【００４５】
また、回転ブラシ１３を、そのブラシ１３ａが該フィルター９のネット９ｂ面に当接するように凝縮器３の脇に立設した。該回転ブラシ１３の位置は前記フィルター９の可動範囲αの中央部、図１において凝縮器３の左外れ位置である。
【００４６】
例えばほぼ均一な断面を有する筒状をなし、筒断面の中心あたりを回転軸として回転可能とする回転ブラシ１３は、凝縮器３側に設けたモータ１４によりギアボックス１５のギアを介して回転駆動される。
【００４７】
フィルター９が凝縮器３の前位置にあるときに、該フィルター９の端部が接する箇所に基点検知手段１６を設けた。基点検知手段１６には、例えば有接点方式のリミットスイッチや、無接点方式のリードスイッチなどを使用する。
【００４８】
先に、清掃の動作について述べると、フィルター９は凝縮器３に対して凝縮器３の吸入側を覆うことで、凝縮器ファン４により凝縮器３に吸引される空気の塵芥を捕捉する。
【００４９】
モータ１２によりラック歯車１１を回転駆動し、このラック歯車１１によりラックギア１０を送ることで、フィルター９を横移動させる。
【００５０】
同時に、モータ１４によりギアボックス１５のギアを介して回転ブラシ１３を回転駆動すれば、横移動するフィルター９のネット９ｂ面に回転ブラシ１３のブラシ１３ａが当接し、フィルターに付着した塵が払拭される。
【００５１】
フィルター９の横移動は、凝縮器３に対して凝縮器３の吸入側を覆う凝縮器３の前位置から、凝縮器３の前を外れる位置まで横移する往路と、元の位置に戻る復路との往復をもってなる。
【００５２】
図４は本発明の凝縮器フィルターの清掃装置の動作の制御を示すブロック図で、元電源をＯＮした場合（ステップイ）に、フィルター９の基点出しを行う。（ステップロ）基点出しでは、フィルター９は可動可能状態、回転ブラシ１３は停止状態となる。
【００５３】
この基点出しは、フィルター９を動かして、基点検知手段１６がフィルター９を検知して、フィルター９をその位置で停止させることで行われる。（ステップハ）
【００５４】
清掃指令は、自動と手動の双方で与えることができる。自動の場合は、図示は省略するが、ショーケース１の機械室２の上部の冷却室に設ける冷却器のデフロストに同期させる。手動の場合は、例えば、コントローラの強制清掃ボタンを押す。（ステップニ）
【００５５】
清掃開始（ステップニ）の状態では、再度、フィルター９の基点出し（フィルター９は可動可能状態、回転ブラシ１３は停止状態）を行う。（ステップへ）
【００５６】
この基点出しは、フィルター９を動かして、基点検知手段１６がフィルター９を検知して、フィルター９をその位置で停止させることで行われる。（ステップト）
【００５７】
フィルター９の基点出しを行う。（フィルター９は可動、回転ブラシ１３は停止）
【００５８】
この基点出しは、フィルター９を動かして、基点検知手段１６がフィルター９を検知して、フィルター９をその位置で停止させることで行われる。（ステップト）
【００５９】
フィルター９のスライド開始後は、約１５０秒間、移動方向は往路方向（凝縮器３の吸入側を覆う凝縮器３の前位置から、凝縮器３の前を外れる方向）、距離は２８，０００ｐｐｓ（パルス）移動する。
【００６０】
同時に、回転ブラシ１３が回転をし始め、約１５０秒間、回転方向は時計回りに回転する。この回転ブラシ１３が回転方向は、フィルター９の移動方向とは逆の方向である。（ステップチ）
【００６１】
往路方向に移動し終えたならば、動作停止を約０．５秒間行う。（ステップリ）
その後、フィルター９のスライド開始し、約１５０秒間、移動方向は往路方向：距離は２８，０００ｐｐｓで移動する。
【００６２】
フィルター９のスライド開始後  回転ブラシ１３の回転を開始し、約１５０秒間、回転方向は反時計回り（フィルター９の移動方向とは逆の方向）に回転する。（ステップヌ）
【００６３】
フィルター９が往路方向に移動し、元の凝縮器３の吸入側を覆う凝縮器３の前位置に移動し、その端が基点検知手段１６に接触したところで、停止し、前記ステップハに戻る。
【００６４】
次に、動作中に異常があった場合について述べる。動作中の異常表示としては、動作中、フィルター９が規定の時間（例えば１０分間）に達しても基点検知手段１６に反応がない場合に行う。その場合、清掃動作を終了させる電装ボックス６であるコントローラ表示部に一例として「Ｅ０」と表示させる。
【００６５】
また、フィルター９が動作開始後にフィルター９が規定の時間（例えば１分間）に達しても基点検知手段１６がフィルター９を検出し続けた場合も異常と判断し、清掃動作を終了させる電装ボックス６であるコントローラ表示部に、一例として「Ｅ０」と表示させる。
【００６６】
不具合が解決した後、特定スイッチとして例えば、棚照明スイッチを押すと、異常を解除して、前記ステップロと同じ基点出しを行う。
【００６７】
前記実施形態では、フィルター９の移動は往路、復路の一往復、回転ブラシ１３の回転方向はフィルター９の移動方向と逆方向としたが、これに限定されるものでなく、回転ブラシ１３の回転方向は何通りかのパターンをもって行うことが可能であり、フィルター９の往復移動も一往復に限定されず任意に設定することができる。
【００６８】
また、筒型の回転ブラシ１３に変えて刷毛状の構造をなすブラシ（図示しない）を用いて、ブラシの毛先部分が回転または反復し断続的にフィルター９の表面に接触することで清掃を行なってもよい。
【００６９】
ブラシ１３は、アクチュエータとギアを組み合わせてブラシの毛先を振動させてフィルター９と接触させる構造とすることも可能である。
【００７０】
なお、図６は回転ブラシ１３に外部から埃等の侵入を防止するためのブラシケース３５を示しており、このように回転ブラシ１３を覆う場合は、ブラシケース３５上にスリット３５ａを設けて回転ブラシ１３の状態が目視で確認できるような構造としている。
【図面の簡単な説明】
【００７１】
【図１】本発明の凝縮器フィルターの清掃装置を備えた冷凍機内蔵型ショーケースの機械室部分の平面図である。
【図２】本発明の凝縮器フィルターの清掃装置を備えた冷凍機内蔵型ショーケースの機械室部分の正面図である。
【図３】本発明の凝縮器フィルターの清掃装置を備えた冷凍機内蔵型ショーケースの機械室部分の側面図である。
【図４】本発明の凝縮器フィルターの清掃装置の動作の制御を示すブロック図である。
【図５】本発明の凝縮器フィルターの清掃装置のフィルターが移動するレールおよびモールを示す斜視図である。
【図６】本発明の凝縮器フィルターの清掃装置のブラシケースの斜視図図および展開図である。
【図７】冷凍機内蔵型ショーケースの一例を示す斜視図である。
【符号の説明】
【００７２】
１  ショーケース              ２  機械室
３  凝縮器                    ４  凝縮器ファン
５  圧縮機                    ６  電装ボックス
７  ケース側電装ボックス      ８  点検蓋
９  フィルター                ９ａフレーム
９ｂ  ネット                  １０  ラックギア
１１  ラック歯車              １２  モータ
１３  回転ブラシ              １３ａブラシ
１４  モータ                  １５  ギアボックス
１６  基点検知手段
１７  桁                      １８  レール
２１  ショーケース            ２２  凝縮器
２３  ケース本体              ２４  機械室
２５  通気孔                  ２６  キックプレート
２７  フィルター              ２８  ドレンタンク
２９  ドレン窓カバー          ３０  コントロールパネル
３１  コントロールパネル操作窓カバー
３２  商品陳列部              ３３  吹出口
３４  モール                  ３４ａ傘部
３５ブラシケース（カバー）    ３５ａスリット
【図１】
2012106152.tif 000003
【図２】
2012106152.tif 000004
【図３】
2012106152.tif 000005
【図４】
2012106152.tif 000006
【図５】
2012106152.tif 000007
【図６】
2012106152.tif 000008
【図７】
2012106152.tif 000009